【手続補正書】
【提出日】平成23年11月24日(2011.11.24)
【手続補正１】
【補正対象書類名】明細書
【補正対象項目名】０００６
【補正方法】変更
【補正の内容】
【０００６】
この発明の映像信号処理装置は、
コンポジット信号から輝度信号と色信号とが分離されて得られたコンポーネント信号の妨害成分を除去する映像信号処理装置において、
相互間にフレーム単位の時間差のある第１、第２及び第３のコンポーネント信号を入力とし、ドット妨害成分を除いた動き信号を検出し、検出結果を示すドット成分除去動き信号を出力するドット成分除去動き検出手段と、
上記第１及び第２のコンポーネント信号と、上記ドット成分除去動き信号とを入力とし、
上記ドット成分除去動き信号が、静止信号あるいは妨害成分であると判断されたことを示しているときには、上記第１及び第２のコンポーネント信号に対して妨害成分を除去するためのフィルタ演算をおこなうドット妨害除去手段とを備え、
上記ドット成分除去動き検出手段は、
上記第１及び第２のコンポーネント信号に基づいて、１フレーム間差分を求める１フレーム間差分算出回路と、
上記第１及び第３のコンポーネント信号に基づいて、２フレーム間差分を求める２フレーム間差分算出回路と、
上記１フレーム間差分算出回路の出力から搬送波帯域成分信号を抽出する第１の搬送波帯域抽出手段と、
上記２フレーム間差分算出回路の出力から搬送波帯域成分信号を抽出する第２の搬送波帯域抽出手段と、
上記１フレーム間差分及び上記２フレーム間差分に基づいて検出した動きを示す動き検出信号を出力する動き検出回路と、
上記第１の搬送波帯域抽出手段の出力信号及び上記第２の搬送波帯域成分抽出手段の出力信号を入力とし、ドット妨害を示すドット妨害検出信号を出力するドット妨害検出回路と、
上記動き検出信号と上記ドット妨害検出信号とを合成して、上記ドット成分除去動き信号を出力する合成回路とを備え、
上記動き検出回路は、上記１フレーム間差分及び上記２フレーム間差分の少なくとも一方が大きいときに、上記動き検出信号の値を大きくし、
上記ドット妨害検出回路は、上記１フレーム間差分の搬送波帯域信号と上記２フレーム間差分の搬送波帯域信号の差分を演算することで、入力信号が動き信号であれば上記ドット妨害検出信号の値を小さくし、ドット妨害であれば上記ドット妨害検出信号の値を大きくし、
上記合成回路は、上記ドット妨害検出信号の値が大きいときには、上記ドット成分除去動き信号の大きさを、上記動き検出信号よりも小さくする
ことを特徴とする。
【手続補正２】
【補正対象書類名】明細書
【補正対象項目名】００３７
【補正方法】変更
【補正の内容】
【００３７】
搬送波帯域抽出フィルタ４７は、１フレーム間差分信号ＤＶ１の色副搬送波周波数成分ＤＢ１を抽出する。搬送波帯域抽出フィルタ４８は、２フレーム間差分信号ＤＶ２の色副搬送波周波数成分ＤＢ２を抽出する。
水平スケーリングしない場合は色副搬送波周波数ｆｓｃ３．５８ＭＨｚを抽出すればよいが、上記のようにフォーマット変換のため水平スケーリングをおこなった信号の場合は色副搬送波周波数が変換された帯域を抽出する必要がある。そこで、第１及び第２の搬送波帯域抽出フィルタ４７、４８は、スケーリング前の信号における色副搬送波周波数成分に対応する、変換後の成分（上記の例では、９．９ＭＨｘの成分）を抽出するように構成されている。
【手続補正３】
【補正対象書類名】特許請求の範囲
【補正対象項目名】全文
【補正方法】変更
【補正の内容】
【特許請求の範囲】
【請求項１】
コンポジット信号から輝度信号と色信号とが分離されて得られたコンポーネント信号の妨害成分を除去する映像信号処理装置において、
相互間にフレーム単位の時間差のある第１、第２及び第３のコンポーネント信号を入力とし、ドット妨害成分を除いた動き信号を検出し、検出結果を示すドット成分除去動き信号を出力するドット成分除去動き検出手段と、
上記第１及び第２のコンポーネント信号と、上記ドット成分除去動き信号とを入力とし、上記ドット成分除去動き信号が、静止信号あるいは妨害成分であると判断されたことを示しているときには、上記第１及び第２のコンポーネント信号に対して妨害成分を除去するためのフィルタ演算をおこなうドット妨害除去手段と
を備え、
上記ドット成分除去動き検出手段は、
上記第１及び第２のコンポーネント信号に基づいて、１フレーム間差分を求める１フレーム間差分算出回路と、
上記第１及び第３のコンポーネント信号に基づいて、２フレーム間差分を求める２フレーム間差分算出回路と、
上記１フレーム間差分算出回路の出力から搬送波帯域成分信号を抽出する第１の搬送波帯域抽出手段と、
上記２フレーム間差分算出回路の出力から搬送波帯域成分信号を抽出する第２の搬送波帯域抽出手段と、
上記１フレーム間差分及び上記２フレーム間差分に基づいて検出した動きを示す動き検出信号を出力する動き検出回路と、
上記第１の搬送波帯域抽出手段の出力信号及び上記第２の搬送波帯域成分抽出手段の出力信号を入力とし、ドット妨害を示すドット妨害検出信号を出力するドット妨害検出回路と、
上記動き検出信号と上記ドット妨害検出信号とを合成して、上記ドット成分除去動き信号を出力する合成回路とを備え、
上記動き検出回路は、上記１フレーム間差分及び上記２フレーム間差分の少なくとも一方が大きいときに、上記動き検出信号の値を大きくし、
上記ドット妨害検出回路は、上記１フレーム間差分の搬送波帯域信号と上記２フレーム間差分の搬送波帯域信号の差分を演算することで、入力信号が動き信号であれば上記ドット妨害検出信号の値を小さくし、ドット妨害であれば上記ドット妨害検出信号の値を大きくし、
上記合成回路は、上記ドット妨害検出信号の値が大きいときには、上記ドット成分除去動き信号の大きさを、上記動き検出信号よりも小さくする
ことを特徴とする映像信号処理装置。
【請求項２】
上記ドット妨害検出回路は、
上記１フレーム間差分の搬送波帯域信号から上記２フレーム間差分の搬送波帯域信号を減算して両者の差を求める減算回路と、
上記減算回路で求めた差が正の値、又は０である場合に、該差をそのまま出力し、上記差が負の値である場合に、０を出力するリミッタとを備える
ことを特徴とする請求項１に記載の映像信号処理装置。
【請求項３】
上記動き検出回路は、
上記１フレーム間差分と上記２フレーム間差分の大きい方を選択して動き検出信号として出力する
ことを特徴とする請求項１に記載の映像信号処理装置。
【請求項４】
上記ドット妨害除去手段は、
上記第１及び第２のコンポーネント信号に対して、妨害成分を除去するためのフィルタ演算を行うフィルタ回路と、
上記ドット妨害除去動き信号に応じた混合割合で、フィルタ回路の出力、及び上記第１又は第２のコンポーネント信号を混合して出力する混合回路を備える
ことを特徴とする請求項１に記載の映像信号処理装置。
【請求項５】
上記ドット妨害除去手段は、
上記第１及び第２のコンポーネント信号に対して、妨害成分を除去するためのフィルタ演算を行うフィルタ回路と、
上記ドット妨害除去動き信号に応じて、フィルタ回路の出力、及び上記第１又は第２のコンポーネント信号のいずれかを選択して出力する選択回路を備える
ことを特徴とする請求項１に記載の映像信号処理装置。
【請求項６】
コンポジット信号から輝度信号と色信号とが分離されて得られたコンポーネント信号の妨害成分を除去する映像信号処理装置において、
入力された第１のコンポーネント信号を１フレーム遅延し、第２のコンポーネント信号を出力する第１の１フレーム遅延回路と、
上記第２のコンポーネント信号を１フレーム遅延し、第３のコンポーネント信号を出力する第２の１フレーム遅延回路と、
上記第１のコンポーネント信号の色搬送波帯域成分を抽出し、第１のコンポーネント搬送波帯域信号を出力する搬送波帯域抽出手段と、
上記搬送波帯域抽出手段の出力を遅延させて、上記第１のコンポーネント搬送波帯域信号に対して１フレーム遅延した第２のコンポーネント搬送波帯域信号を生成し、さらに上記第１のコンポーネント搬送波帯域信号に対して２フレーム遅延した第３のコンポーネント搬送波帯域信号を生成する遅延手段とを備え、
上記第１、第２及び第３のコンポーネント信号ならびに上記第１、第２及び第３のコンポーネント搬送波帯域信号を入力とし、ドット妨害成分を除いた動き信号を検出し、検出結果を示すドット成分除去動き信号を出力するドット成分除去動き検出手段と、
上記第１及び第２のコンポーネント信号と、上記ドット成分除去動き信号とを入力とし、上記ドット成分除去動き信号が、静止信号あるいは妨害成分であると判断されたことを示しているときには、上記第１及び第２のコンポーネント信号に対して妨害成分を除去するためのフィルタ演算をおこなうドット妨害除去手段とを備え、
上記ドット成分除去動き検出手段は、
上記第１及び第２のコンポーネント信号に基づいて、第１の１フレーム間差分を求める第１の１フレーム間差分算出回路と、
上記第１及び第３のコンポーネント信号に基づいて、第１の２フレーム間差分を求める第１の２フレーム間差分算出回路と、
上記第１の１フレーム間差分及び上記第１の２フレーム間差分に基づいて検出した動きを示す動き検出信号を出力する動き検出回路と、
上記第１及び第２のコンポーネント搬送波帯域信号に基づいて、第２の１フレーム間差分を求める第２の１フレーム間差分算出回路と、
上記第１及び第３のコンポーネント搬送波帯域信号に基づいて、第２の２フレーム間差分を求める第２の２フレーム間差分算出回路と、
上記第２の１フレーム間差分及び上記第２の２フレーム間差分に基づいて検出したドット妨害を示すドット妨害検出信号を出力するドット妨害検出回路と、
上記動き検出信号と上記ドット妨害検出信号とを合成して、上記ドット成分除去動き信号を出力する合成回路とを備え、
上記動き検出回路は、上記第１の１フレーム間差分及び上記第１の２フレーム間差分の少なくとも一方が大きいときに、上記動き検出信号の値を大きくし、
上記ドット妨害検出回路は、
上記第２の１フレーム間差分の搬送波帯域信号と上記第２の２フレーム間差分の搬送波帯域信号の差分を演算することで、入力信号が動き信号であれば上記ドット妨害検出信号の値を小さくし、ドット妨害であれば上記ドット妨害検出信号の値を大きくし、
上記合成回路は、上記ドット妨害検出信号の値が大きいときには、上記ドット成分除去動き信号の大きさを、上記動き検出信号よりも小さくする
ことを特徴とする映像信号処理装置。
【請求項７】
上記搬送波帯域抽出手段は、抽出する搬送波周波数帯域が切り替え可能であることを特徴とする請求項６に記載の映像信号処理装置。